(57)【要約】【課題】受信信号から生成した多相化された遅延信号から最適なものを選択することで同期を確立する装置において、遅延信号の切り替えが頻発して符号誤り率が増大するのを抑制する。【解決手段】同じサンプリングタイミングｎでパラメータｋ方向に量子化値Ｑ（ｎ，ｋ）の値が変化する点に対応する差分値Ｄ（ｎ，ｋ）を取得する差分化部１６と、差分値Ｄ（ｎ，ｋ）を、パラメータｋ毎に所定期間内で積算し、かつ所定の時定数で平滑化することにより、各パラメータｋに対する変化点発生頻度Ｆ（ｋ）を取得する変化点発生頻度取得部１８と、変化点発生頻度Ｆ（ｋ）が極小値となるときのパラメータｋ（＝ｋｏｐｔ）に対応する量子化値Ｑ（ｎ，ｋｏｐｔ）を、最適なサンプリングタイミングで量子化したデータとして選択する選択部２０と、を備える。【選択図】図６
2005223565.tif 000002
【特許請求の範囲】
【請求項１】
シリアルかつバイナリのシンボルデータを含む受信信号Ｒ（ｔ−Ｔ０）から（ここに、ｔ：時間、Ｔ０：伝搬遅延時間）、その受信信号Ｒ（ｔ−Ｔ０）の１シンボル期間Ｔより短い時間間隔ｄｔを単位として段階的に遅延時間δｔ（＝ｋ・ｄｔ、ｋ：遅延時間に対応するパラメータ（ｋ＝１，２，・・・，Ｋ）、Ｋ：３以上の整数）の異なる複数の遅延信号Ｒ（ｔ−Ｔ０−ｋ・ｄｔ）を生成する遅延信号生成部と、
各遅延信号Ｒ（ｔ−Ｔ０−ｋ・ｄｔ）をサンプリングタイミングｔ＝Ｔ０＋（ｎ−１）・Ｔ（ここに、Ｔ０：最初のサンプリングタイミング、ｎ：１，２，・・・，Ｎ、Ｎ：３以上の整数）でサンプリングすることにより、量子化値Ｑ（ｎ，ｋ）を取得する量子化部と、
同じサンプリングタイミングｎでパラメータｋ方向に量子化値Ｑ（ｎ，ｋ）の値が変化する点に対応する差分値Ｄ（ｎ，ｋ）を取得する差分化部と、
前記差分値Ｄ（ｎ，ｋ）を、前記パラメータｋ毎に所定期間内で積算し、かつ所定の時定数で平滑化することにより、各パラメータｋに対する変化点発生頻度Ｆ（ｋ）を取得する変化点発生頻度取得部と、
前記変化点発生頻度Ｆ（ｋ）が極小値となるときのパラメータｋ（＝ｋｏｐｔ）に対応する量子化値Ｑ（ｎ，ｋｏｐｔ）を、最適なサンプリングタイミングで量子化したデータとして選択する選択部と、
を備える同期確立回路。
【請求項２】
前記選択部は、一旦選択または仮定を行った後に再度選択を行うときは、前記記憶された前回のパラメータｋｏｐｔおよびその前後に自然数ｐだけ離れたパラメータｋｏｐｔ＋ｐ、ｋｏｐｔ−ｐに対応する変化点発生頻度Ｆ（ｋｏｐｔ）、Ｆ（ｋｏｐｔ＋ｐ）およびＦ（ｋｏｐｔ−ｐ）の中で最も値の小さいもののパラメータｋに対応する量子化値を、最適なサンプリングタイミングで量子化したデータとして選択することを特徴とする請求項１に記載の同期確立回路。
【請求項３】
前記自然数ｐの値を可変制御することを特徴とする請求項２に記載の同期確立回路。
【請求項４】
さらに、ｄｔ／Ｔの値に応じて、平滑化を実行する際に用いる平滑関数の係数を変更する機構を持ち、さらに広範囲なｄｔ／Ｔの値にも対応できる様、平滑化を行うデータをパラメータｋについて間引きするように構成したことを特徴とする請求項１〜３のうちいずれか一つに記載の同期確立回路。
【発明の詳細な説明】
【技術分野】
【０００１】
本発明は、シリアルかつバイナリのシンボルデータを含む受信信号に対して同期を確立する同期確立回路に関し、特に、バーストとして受信された信号に好適な同期確立回路に関する。
【背景技術】
【０００２】
例えば、光ファイバアクセスネットワークで用いられるＰＯＮ（Passive Optical Network）のようなＴＤＭＡ（Time Division Multiple Access）方式の１対多通信における中心局装置のように、複数の対向装置から異なった伝播経路を経て着信する信号を受信する装置では、受信装置固有の受信クロックに対して適切な位相で受信信号が到着するよう、受信経路の遅延時間を制御しつつ受信する方式がある。この方式は、受信信号ごとに受信クロックを再生しつつ受信する方式と異なり、全ての信号を単一のクロックで処理できるという利点がある。
【０００３】
そのなかでも、図１５に示すように、受信信号に種々の異なる値の遅延を与えた複数の遅延信号を作り、その中から適切な一つを選択して受信する方式は、連続的に変化する変数を使用しないため、ＩＣ化に適している。図１５の受信装置は、装置固有の受信クロックを各遅延信号と比較することにより、遅延信号のうち最も適した位相の遅延信号を選択し、その遅延信号を受信クロックを用いて再生する。この種の技術は、特許文献１〜４に記載されている。
【０００４】
【特許文献１】特開平８−２５６１３７号公報
【特許文献２】特開平９−８３５００号公報
【特許文献３】特開平９−１６２８５３号公報
【特許文献４】米国特許第４９７７５８２号明細書
【発明の開示】
【発明が解決しようとする課題】
【０００５】
しかしながら、受信信号に種々の異なる値の遅延を与えた複数の遅延信号を作り、その中から適切な一つを選択して受信する方式では、受信信号に含まれるジッタやパルス幅歪によって、遅延信号の切り替えが頻繁に発生し、その結果符号誤り率が増大する場合があるという問題があった。
【課題を解決するための手段】
【０００６】
本発明にかかる同期確立回路は、シリアルかつバイナリのシンボルデータを含む受信信号Ｒ（ｔ−Ｔ０）から（ここに、ｔ：時間、Ｔ０：伝搬遅延時間）、その受信信号Ｒ（ｔ−Ｔ０）の１シンボル期間Ｔより短い時間間隔ｄｔを単位として段階的に遅延時間δｔ（＝ｋ・ｄｔ、ｋ：遅延時間に対応するパラメータ（ｋ＝１，２，・・・，Ｋ）、Ｋ：３以上の整数）の異なる複数の遅延信号Ｒ（ｔ−Ｔ０−ｋ・ｄｔ）を生成する遅延信号生成部と、各遅延信号Ｒ（ｔ−Ｔ０−ｋ・ｄｔ）をサンプリングタイミングｔ＝Ｔ０＋（ｎ−１）・Ｔ（ここに、Ｔ０：最初のサンプリングタイミング、ｎ：１，２，・・・，Ｎ、Ｎ：３以上の整数）でサンプリングすることにより、量子化値Ｑ（ｎ，ｋ）を取得する量子化部と、同じサンプリングタイミングｎでパラメータｋ方向に量子化値Ｑ（ｎ，ｋ）の値が変化する点に対応する差分値Ｄ（ｎ，ｋ）を取得する差分化部と、上記差分値Ｄ（ｎ，ｋ）を、上記パラメータｋ毎に所定期間内で積算し、かつ所定の時定数で平滑化することにより、各パラメータｋに対する変化点発生頻度Ｆ（ｋ）を取得する変化点発生頻度取得部と、上記変化点発生頻度Ｆ（ｋ）が極小値となるときのパラメータｋ（＝ｋｏｐｔ）に対応する量子化値Ｑ（ｎ，ｋｏｐｔ）を、最適なサンプリングタイミングで量子化したデータとして選択する選択部と、を備える。
【０００７】
また、上記本発明にかかる同期確立回路では、上記選択部は、一旦選択または仮定を行った後に再度選択を行うときは、上記記憶された前回のパラメータｋｏｐｔおよびその前後に自然数ｐだけ離れたパラメータｋｏｐｔ＋ｐ、ｋｏｐｔ−ｐに対応する変化点発生頻度Ｆ（ｋｏｐｔ）、Ｆ（ｋｏｐｔ＋ｐ）およびＦ（ｋｏｐｔ−ｐ）の中で最も値の小さいもののパラメータｋに対応する量子化値を、最適なサンプリングタイミングで量子化したデータとして選択するのが好適である。
【０００８】
また、上記本発明にかかる同期確立回路では、上記自然数ｐの値を可変制御（可変設定）するのが好適である。具体的には、例えばＦ（ｋｏｐｔ）の値が大きいときには、現行の選択が最適点から離れていると判断して、ｐに大きな値を設定することによって最適点に速く接近し、逆に、Ｆ（ｋｏｐｔ）の値が小さいときには、現行の選択が最適点に近いと判断して、ｐに小さな値を設定する（例えばｐ＝１）。こうすることで、最適点をより精度良く追跡することができるようになる。
【０００９】
また、上記本発明にかかる同期確立回路では、さらに、ｄｔ／Ｔの値に応じて、平滑化を実行する際に用いる平滑関数の係数を変更する機構を備え、さらに広範囲なｄｔ／Ｔの値にも対応できるよう、平滑化を行うデータをパラメータｋについて間引きするのが好適である。
【発明を実施するための最良の形態】
【００１０】
以下、本発明の好適な実施形態について、図面を参照して説明する。
【００１１】
まず、本実施形態にかかる同期確立回路１０による同期確立の基本的な原理について、図１〜図５を参照して説明する。図１は、同期確立回路１０の要部構成の一例を示すブロック図である。同期確立回路１０は、基本的には、遅延信号生成部１２、量子化部１４、差分化部１６、変化点発生頻度取得部１８、および選択部２０を備える。変化点発生頻度取得部１８は、積算部２２および平滑化部２４を含む。これら各部は、以下に説明する各処理を繰り返して実行することにより、受信経路の伝播遅延時間を制御し、受信装置固有の識別タイミングにとって適切な着信位相を確保する。なお、ここでは、伝播遅延時間Ｔ０の伝送路を経て同期確立回路１０の入力点に到着した受信信号をＲ（ｔ−Ｔ０）と表し、この受信信号Ｒ（ｔ−Ｔ０）には、１シンボル期間Ｔのシンボル列Ｘ（ｎ・Ｔ）が含まれているものとする。
【００１２】
＜１．多相化（遅延信号の生成）＞
遅延信号生成部１２は、受信信号Ｒ（ｔ−Ｔ０）に、そのシンボル間隔Ｔに比べて充分に小さい時間ｄｔの整数倍の遅延を与えることにより、一定の位相差を持つ複数の遅延信号Ｒ（ｔ−Ｔ０−ｋ・ｄｔ）を生成する。その一例を図２に示す。なお、ｋは、遅延時間（位相差）δｔ（＝ｋ・ｄｔ）に対応するパラメータであって、ｋ＝１，２，・・・，Ｋ、Ｋ：３以上の整数、２・ｄｔ＜Ｔ＜Ｋ・ｄｔである。時間間隔ｄｔの値は識別タイミング決定の粒度となり、時間精度に関わるため、Ｔに対して充分に小さくするのが好適である。一例としては、ｄｔ＝１／２０Ｔ程度とする。
【００１３】
＜２．量子化＞
量子化部１４は、多相化された各遅延信号を、シンボル間隔Ｔと等しい繰り返し周期を持つ共通のサンプリングタイミングで周期的にサンプリングすることにより、時間軸方向にＴで量子化された量子化値Ｑ（ｎ，ｋ）＝Ｒ（ｎ・Ｔ−Ｔ０−ｋ・ｄｔ）を、各パラメータｋについて取得する。その一例を図３に示す。
【００１４】
各遅延信号の遷移点と量子化境界との距離は、Ｔ０とｋ・ｄｔとよって決まる。図３に示すように、量子化境界の近傍で遷移する遅延信号から得られたＱ（ｎ，ｋ）は、遅延信号が遷移する都度に隣接するＱ（ｎ，ｋ−１）あるいはＱ（ｎ，ｋ＋１）と異なる値となる場合が多く、そうでない遅延信号から得られたＱ（ｎ，ｋ）はＱ（ｎ，ｋ−１）およびＱ（ｎ，ｋ＋１）と同じ値である場合が多い。そこで、本実施形態では、この特性を利用して、Ｑ（ｎ，ｋ）の中から適切なタイミングでサンプリングされた量子化値Ｑ（ｎ，ｋｏｐｔ）を選択する。
【００１５】
＜３．差分化＞
差分化部１６は、各量子化値Ｑ（ｎ，ｋ）に対し、Ｑ（ｎ，ｋ）とＱ（ｎ，ｋ＋１）とが異なった値であることを示す差分値Ｄ（ｎ，ｋ）を求める。その一例を図４に示す。この差分値Ｄ（ｎ，ｋ）は、例えば、Ｑ（ｎ，ｋ）とＱ（ｎ，ｋ＋１）との排他的論理和として取得することができる。
【００１６】
＜４．積算・補間・平滑化（変化点発生頻度の取得）＞
各差分値は受信信号のシンボル列の値の変化に依存した量である。そこで、積算部２２は、その影響を除去すべく、Ｌ・Ｔ時間に亘って観測することによって、差分値Ｄ（ｎ，ｋ）の積算値Ｓ（ｋ）を、各ｋについて求める。ここでＬは任意の自然数であるが、対象としているシンボル列はＬ・Ｔ時間において必ず変化するような値に選ばれるものとする。その一例を図５に棒グラフで示す。さらに、平滑化部２４において、各積算値Ｓ（ｋ）をｋに関して補間・平滑化することにより、各ｋに対する変化点発生頻度Ｆ（ｋ）が取得される。その一例を図５に実線で示す。
【００１７】
図５に例示するように、積算値Ｓ（ｋ）は、ｋに関してＴ／ｄｔを基本周期とする周期性を持つ。このため、積算値Ｓ（ｋ）を補間・平滑化するための関数にはｄｔ／Ｔの成分を通過させ２ｄｔ／Ｔ以上の成分を阻止する空間フィルタを利用することができる。一例としては、例えば
【数１】
2005223565.tif 000003
で示されるような、低域通過ＦＩＲフィルタや帯域通過ＦＩＲフィルタ等を用いることができる。
【００１８】
なお、ここでは、積算値Ｓ（ｋ）を求めた後に当該積算値Ｓ（ｋ）を補間・平滑化する例について説明したが、この演算の順序を逆にしても同様の結果が得られる。つまり、変化点発生頻度Ｆ（ｋ）を、
【数２】
2005223565.tif 000004
として求めることもでき、また、演算の順序を逆にして、
【数３】
2005223565.tif 000005
として求めてもよい。
【００１９】
＜５．遅延信号の選択＞
選択部２０は、こうして取得した変化点発生頻度Ｆ（ｋ）の値を比較し、その極小値をあたえるｋｏｐｔを特定する。変化点発生頻度Ｆ（ｋ）の値は、多相化された各遅延信号が遷移する点と量子化境界との近さの度合いを表しているため、変化点発生頻度Ｆ（ｋ）の値が小さいほど適切なタイミングで識別された信号と考えることができる。そして、この位相比較の結果に従って、識別値Ｑ（ｎ，ｋｏｐｔ）を選択して出力する。
【００２０】
以上、本実施形態にかかる同期確立回路１０の概要を説明した。次に、同期確立回路１０の具体例、およびその内部構成や各部の動作について、図６〜図１４を参照して説明する。図６は、同期確立回路１０のより詳細な内部構成の一例を示す図である。
【００２１】
図６の同期確立回路１０は、以下の特徴を備えている。
【００２２】
＜１．３つの補間フィルタ４４で変化点発生頻度の極小値を捕捉・追跡＞
補間フィルタ４４の実装数は、本方式を実装するために必要なハードウェアリソースの量に大きな影響を与える。そこで図６の同期確立回路１０では、補間フィルタ４４を３つ実装し、３つの位相についての変化点発生頻度を同時に求め、それらの値を比較して最も小さい変化点発生頻度を与えた位相を選択すると共に、その位相を次回の比較対象の中心とすることで変化点発生頻度の極小値を捕捉しかつ追跡するようにしている。そのために、３つの補間フィルタ４４のそれぞれは、全ての位相における補間ができるよう、３つのスイッチ４６を介して積算された各信号に接続されている。なお、図６の例では、スイッチ４６は積算部２２の後に実装されているため、より多くの積算器が必要となるものの、切り替え時間は平滑および位相比較処理の実行間隔以下であればよいから、高いシンボルレートの場合に極めて有効な構成となっている。
【００２３】
＜２．遅延特性の測定＞
シンボルレートに比べて充分に高いクロック周波数で動作するシフトレジスタを使用して多相化処理を実行する場合には、多相化された各信号間の時間差ｄｔとシンボル間隔Ｔとの比であるｄｔ／Ｔの値は正確で安定したものとすることができる。しかしながら、シンボルレートが高く、縦列に接続されたゲート素子を使用して多相化処理を行うような場合には、ｄｔ／Ｔの値は偏差および変動を伴う。そこで、この例では、ｄｔ／Ｔの値にしたがって補間フィルタ４４の係数およびタップ間隔を変更する。ｄｔ／Ｔの値は補間フィルタ４４の通過域および阻止域を決定する値であるから、広範囲な値のｄｔ／Ｔに対応することができる。具体的には、ｄｔ／Ｔの値を測定する遅延測定部３４が実装されており、バースト的に到着する受信信号の間隙を利用してｄｔ／Ｔの値を測定することができ、実際に測定した値に基づいて補間フィルタ４４の係数およびタップ間隔を変更することができる。
【００２４】
＜３．補間フィルタのタップ間隔制御＞
補間フィルタ４４の実装数とともに、その次数もまた必要なハードウェアリソースの量に大きな影響を与える。補間フィルタ４４がｄｔ／Ｔの成分を通過させ２ｄｔ／Ｔ以上の成分を阻止するためには、そのインパルス応答の長さがＴ／ｄｔ以上である必要があるが、インパルス応答の長さは補間フィルタ４４のタップ間隔と次数との積であるため、小さな値のタップ間隔は大きな次数を必要とする。そこで、この例では、ｄｔ／Ｔの値が小さい場合には、補間フィルタのタップ間隔をｄｔでなく２ｄｔとすることで、タップ間隔が小さな値となることを抑制している。具体的には、フィルタ接続部２６のスイッチ４６によってこの操作を行うことができる。これにより、次数の増大を抑えつつ広範囲な値のｄｔ／Ｔに対応することを可能にしている。さらに、この例では、差分値Ｄ（ｎ，ｋ）を、隣接する量子化値Ｑ（ｎ，ｋ）およびＱ（ｎ，ｋ＋１）から求めるのではなく、一つおきの量子化値Ｑ（ｎ，ｋ−１）およびＱ（ｎ，ｋ＋１）を求めることで、タップ間隔の変更を容易化している。
【００２５】
＜４．補間フィルタ４４の係数制御＞
種々のシンボルレートに対応する場合や、遅延信号生成部１２が縦列に接続されたゲート素子で構成されている場合などには、ｄｔ／Ｔの値が変動する可能性がある。このとき、単一の係数ベクトルを持つ補間フィルタ４４では、全てのｄｔ／Ｔの値についてｄｔ／Ｔの成分を通過させ２ｄｔ／Ｔ以上の成分を阻止するのが難しくなる場合がある。そこで、この例では、ｄｔ／Ｔの値に応じて異なる係数ベクトルを出力する補間制御部３２を実装することで、広範囲なｄｔ／Ｔの値に対応することを可能にしている。
【００２６】
次に、図６の同期確立回路１０の各部の構成および動作の例について説明する。
【００２７】
遅延信号生成部（多相化部）１２は、受信信号Ｒ（ｔ−Ｔ０）に微小時間ｄｔの整数倍の時間ｋ・ｄｔだけ遅延させたＫ個の遅延信号Ｒ（ｔ−Ｔ０−ｋ・ｄｔ）を出力する。遅延信号生成部１２は、例えばタップ付き遅延線を用いて構成することができる。図７はその一例を示す図である。半導体集積回路として実装する場合には、タップ３８として、シフトレジスタあるいは縦列に接続されたゲート素子等を用いることができる。また、信号速度に比べて充分に高い周波数のクロックで動作するシフトレジスタを使用できる場合には、正確で安定した遅延時間をもつタップ付き遅延線として利用することができる。そうでない場合には、接続されたゲート素子をタップ付き遅延線として利用することができる。この場合、必要とする値と正確に一致するｄｔを持つタップ付き遅延線を実装することは困難であるため、ｄｔの偏差や変動に対応できるような構成とする必要がある。また、遅延線全体では、位相追跡範囲の大きさに補間フィルタのインパルス応答の長さを加えた時間よりも大きな遅延時間を持つ必要がある。例えば位相追跡範囲に２Ｔ時間、補間フィルタのインパルス応答の長さにＴ時間を割り当て、Ｔ＝８００ｐｓ、ｄｔ≧２０ｐｓと仮定する場合、縦列に接続されるゲート素子の必要数は１２０個以下となる。
【００２８】
量子化部１４は、多相化された各遅延信号のそれぞれを、シンボル間隔Ｔと等しい周期を持つ参照クロックｃｌｋでサンプリングすることによって時間軸方向にＴで量子化された量子化値Ｑ（ｎ，ｋ）＝Ｒ（ｎ・Ｔ−Ｔ０−ｋ・ｄｔ）を出力する。
【００２９】
差分化部１６は、量子化された各量子化値がｋ方向に相互に隣接する信号間で異なる値であることを表す差分値Ｄ（ｎ，ｋ）を出力する。上述したように、差分値Ｄ（ｎ，ｋ）は、二つの量子化値の排他的論理和として取得することができる。図８の（ａ）および（ｂ）は、差分化部１６の構成例を示す図である。（ａ）のように構成した場合には補間フィルタとしては偶数次ＦＩＲが適しており、また（ｂ）のように構成した場合は補間フィルタとしては奇数次ＦＩＲが適している。さらに（ｂ）の場合は、補間フィルタのタップ間隔をｄｔとする場合と２ｄｔとする場合との共通点が多いという特徴から、補間フィルタのタップ間隔制御を行う場合に適している。
【００３０】
積算部２２は、差分化された各差分値Ｄ（ｎ，ｋ）について、受信信号の遷移に依存した信号である差分値を然るべきＬ・Ｔ時間に亘って観測することによって差分の発生度数を表す積算値Ｓ（ｋ）を出力する。図９は、積算部２２の一構成例を示す図である。図９の積算部２２は、シフトレジスタ４０と加算器４２とを含む。ここで、クロックサイクルであるＴ時間毎に平滑結果を出力する場合は、（ａ）に示すような構成となる。一方、より長い間隔で出力する場合、例えばＭ・Ｔ時間毎にＴ時間だけ実行を指示する値となる制御変数ｇｏに従って出力するような場合は、（ｂ）に示すように、Ｄ（ｎ，ｋ）をＭ回累積した値をシフトレジスタに入力することで加算の項数、回数ともに１／Ｍ倍にすることができる。なお、Ｌ・Ｔ時間に亘っていずれの差分値にも有意な値がない場合、積算部２２は、無信号であることを示す変数ｎｏＳｉｇｎａｌを出力する。
【００３１】
フィルタ接続部２６は、積算された各積算値の中から、位相比較部の指示に従った各々Ｊ個の要素を３組選択し、各々Ｊ個の要素から成る３個のベクトルＳａ、ＳｂおよびＳｃとして出力する。このフィルタ接続部２６は、平滑化部（補間部）２４に実装される３個の補間フィルタ４４によって全ての点における補間・平滑演算を実行することができるよう、積算値Ｓ（ｋ）の中から補間フィルタ４４に接続される要素を選択するための切り替えスイッチである。フィルタ接続部２６は、３つの接続ベクトル
【数４】
2005223565.tif 000006
にしたがった３つのベクトル
【数５】
2005223565.tif 000007
を出力する。図１０および図１１は、ｄｔ／Ｔが比較的大きな値の場合（図１０）、および比較的小さな値の場合（図１１）における、フィルタ接続部２６の接続例を示す図である。これら図１０および図１１から、図８の（ｂ）の差分化部１６を採用することで、補間フィルタ４４のタップ間隔を容易に変更できるようになることが理解できる。
【００３２】
補間部２４は、上記３個のベクトルＳａ、ＳｂおよびＳｃのそれぞれについて、共通の係数ベクトルＡ
【数６】
2005223565.tif 000008
を用いたＦＩＲフィルタ演算を行うことによって補間・平滑を行い、３つの変化点発生頻度
【数７】
2005223565.tif 000009
を出力する。
【００３３】
位相比較部２８は、制御変数ｇｏが実行を指示する値となるたびに、３個の変化点発生頻度Ｆａ、ＦｂおよびＦｃのうち最小のものを選択し、最小の変化点発生頻度を与えるｋの値（すなわちｋｏｐｔ）を出力する。図１２は、位相比較部２８によるｋｏｐｔの決定条件の一例を示す図である。また位相比較部２８は、次回の比較対象ベクトルを構成するための３つの接続ベクトル、
【数８】
2005223565.tif 000010
を出力する。ここでｗｄは補間制御部が補間フィルタのタップ間隔を制御するために使用する変数であり、ｐｓは移相量を制御する変数ｐｓである。変数ｐｓは、参照している３個の差分発生能力値Ｆａ、ＦｂおよびＦｃの値が比較的大きい場合（例えば所定の閾値と同じかまたは大きい場合）は大きな値とし、参照している３個の差分発生能力値Ｆａ、ＦｂおよびＦｃの値が比較的小さい場合は小さな値とすることによって、少ない実行回数で適切なサンプリングタイミングを得ることを可能にしている。なお、各出力の値は、積算部２２が無信号を示している場合は初期値に設定される。
【００３４】
実行間隔部３０は、積算部２２および位相比較部２８の動作／停止を制御する変数ｇｏを出力する。図１３は、変数ｇｏおよびクロックｃｌｋの一例を示す図である。変数ｇｏは、Ｍクロックサイクルを周期とし、そのうちの１クロックサイクルが実行を指示する値（ｇｏ＝１）となり、残りのＭ−１クロックサイクルがそうでない値（ｇｏ＝０）となる。
【００３５】
補間制御部３２は、ｄｔ／Ｔ変数の値に応じた係数ベクトルＡを出力する。図１４に示すようにｄｔ／Ｔの値が広範囲に変化する場合、補間フィルタの通過域、遮断域を変化させる必要がある。そこで、補間制御部３２はｄｔ／Ｔの値に応じた係数ベクトル
【数９】
2005223565.tif 000011
を出力することによって補間フィルタ４４の特性を制御し、広範囲なｄｔ／Ｔの値に対応することを可能にしている。また、図１４（ｂ）の場合に積算値を平滑化するには、（ａ）の場合に比べてより長いインパルス応答が必要となる。その場合には、図１２に示すような接続とすれば、補間フィルタ４４のタップ間隔が２ｄｔとなり、次数の上昇を抑えつつ必要なインパルス応答の長さを得ることが可能になる。そこで、補間制御部３２は、ｄｔ／Ｔの値に従って、補間フィルタのタップ間隔を制御するための変数ｗｄを出力する。このｗｄは位相比較部２８で次回の接続ベクトルを決定する際に参照され、フィルタ接続部２６の接続に反映されて補間フィルタ４４のタップ間隔が制御される。
【００３６】
遅延測定部３４は、測定開始信号に従って、多相化された各信号間の時間差ｄｔとシンボル間隔Ｔとの比であるｄｔ／Ｔの値を測定して出力する。測定は、多相化部１２の入力信号を受信信号でなく測定用基準信号に切り替えた状態で行う。そのため、多相化部１２に入力する信号を切り替えるための切り替え制御信号ｍｅｓおよび測定に用いる基準信号ｒｅｆを出力する。ｄｔ／Ｔの値は、多相化部１２の入力を切り替えた後に基準信号を一定の値に保ち、全ての量子化値が基準信号と同じ値になった後に基準信号の値を変更し、その後経過した時間と量子化値との関係を観察することで、知ることができる。
【００３７】
固定遅延部３６は、量子化値にＬ・Ｔ／２時間のオフセットを与えた被選択値Ｑ（ｎ−Ｌ／２，ｋ）を出力する。位相比較部２８の出力は過去、Ｌ・Ｔ時間の情報に基づいて判定されたものである。そこで、固定遅延部３６には、選択部２０で選択される値を量子化値Ｑ（ｎ，ｋ）にＬ・Ｔ／２時間のオフセットを与えられた被選択値Ｑ（ｎ−Ｌ／２，ｋ）とすることで、低周波ジッタ等による受信信号到着位相の変動の影響を緩和すべく、レジスタ群が実装されている。
【００３８】
選択部２０は、量子化され固定遅延を付加された被選択値Ｑ（ｎ−Ｌ／２，ｋ）の中から位相比較部２８の指示に従った１つを出力する。
【００３９】
以上、本発明の好適な実施形態について説明したが、上記実施形態で示したのはあくまで一例であって、本発明が上記例示に限定されるものではないことを理解されたい。
【図面の簡単な説明】
【００４０】
【図１】本発明の実施形態にかかる同期確立回路の要部構成の一例を示す図である。
【図２】本発明の実施形態にかかる同期確立回路に含まれる遅延信号生成部によって生成された遅延信号の一例を示す図である。
【図３】本発明の実施形態にかかる同期確立回路に含まれる量子化部によって取得された量子化値の一例を示す図である。
【図４】本発明の実施形態にかかる同期確立回路に含まれる差分化部によって取得された差分値の一例を示す図である。
【図５】本発明の実施形態にかかる同期確立回路に含まれる変化点発生頻度取得部で取得された積算値および変化点発生頻度の一例を示す図である。
【図６】本発明の実施形態にかかる同期確立回路の要部構成の一例をより詳細に示す図である。
【図７】本発明の実施形態にかかる同期確立回路に含まれる遅延信号生成部の構成例を示す図である。
【図８】本発明の実施形態にかかる同期確立回路に含まれる差分化部の構成例を示す図である。
【図９】本発明の実施形態にかかる同期確立回路に含まれる積算部の構成例を示す図である。
【図１０】本発明の実施形態にかかる同期確立回路に含まれるフィルタ接続部の接続例を示す図であって、ｄｔ／Ｔが比較的大きな値の場合の一例を示す図である。
【図１１】本発明の実施形態にかかる同期確立回路に含まれるフィルタ接続部の接続例を示す図であって、ｄｔ／Ｔが比較的小さな値の場合の一例を示す図である。
【図１２】本発明の実施形態にかかる同期確立回路に含まれる位相比較部によるｋｏｐｔの決定条件の一例を示す図である。
【図１３】本発明の実施形態にかかる同期確立回路に含まれる実行間隔制御部から出力される変数ｇｏの一例を示す図である。
【図１４】ｄｔ／Ｔが変化する場合に本発明の実施形態にかかる同期確立回路によって取得される積算値および変化点発生頻度の一例を示す図である。
【図１５】従来の同期確立回路を示す図である。
【符号の説明】
【００４１】
１０  同期確立回路、１２  遅延信号生成部（多相化部）、１４  量子化部、１６  差分化部、１８  変化点発生頻度取得部、２０  選択部、２２  積算部、２４  平滑化部（補間部）、２６  フィルタ接続部、２８  位相比較部、３０  実行間隔部、３２  補間制御部、３４  遅延測定部、３６  固定遅延部、３８  タップ、４０  シフトレジスタ、４２  加算器、４４  補間フィルタ、４６  スイッチ。
【図１】
2005223565.tif 000012
【図２】
2005223565.tif 000013
【図３】
2005223565.tif 000014
【図４】
2005223565.tif 000015
【図５】
2005223565.tif 000016
【図６】
2005223565.tif 000017
【図７】
2005223565.tif 000018
【図８】
2005223565.tif 000019
【図９】
2005223565.tif 000020
【図１０】
2005223565.tif 000021
【図１１】
2005223565.tif 000022
【図１２】
2005223565.tif 000023
【図１３】
2005223565.tif 000024
【図１４】
2005223565.tif 000025
【図１５】
2005223565.tif 000026